(57)【要約】      （修正有）【課題】記録媒体から当該記録媒体に記録された情報を読み取る読取部を備えた端末を収容する収容台において、あらゆる角度から容易に読取部に記録媒体を接続することができるようにする。【解決手段】記録媒体から認証情報を読み取る読取部１３２を備えたシンクライアント端末１３０を収納する収納台は、シンクライアント端末１３０を読取部１３２が上向きの状態で挿入可能な孔２２を備えた、水平に支持された棚板１２と、棚板１２に挿入されたシンクライアント端末１３０を、読取部１３２が棚板１２より上方に位置する常態で保持する保持部材２０と、を備える。【選択図】図５
0003141712.tif 000002
【実用新案登録請求の範囲】
【請求項１】
認証用記録媒体から認証情報を読み取るための読取部を備えた端末装置を収納する収納台であって、
前記端末装置を前記読取部が上向きの状態で挿入可能な孔を備えた、水平に支持された板材と、
前記板材に挿入された前記端末装置を、前記読取部が前記板材より上方に位置する常態で保持する保持部材と、を備えることを特徴とする収納台。
【請求項２】
請求項１記載の収納台であって、
前記端末装置は、サーバとともにシンクライアントシステムを構成するシンクライアント端末であることを特徴とする収納台。
【請求項３】
請求項１又は２記載の収納台であって、
前記孔に挿入されて保持された前記端末装置の読取部上方を覆うように支持された保護部材を備えることを特徴とする収納台。
【請求項４】
請求項３記載の収納台であって、
前記板材は、多角形状に形成され、前記保護部材は、前記板材の辺の中間部に立設された支柱により支持されていることを特徴とする収納台。
【請求項５】
請求項１から４のうち何れかに記載の収納台であって、
前記端末装置に接続されたキーボード及びマウスを収納するための収納部を備えることを特徴とする収納台。
【請求項６】
認証用記録媒体から認証情報を読み取るための読取部を備えた端末装置を収納する収納台と、該収納台に収納された端末装置と、前記収納台の周囲に設置され、前記端末装置の画面表示を行う表示装置とを備えたテレビ会議システムであって、
前記収納台は、前記端末装置を前記読取部が上向きの状態で挿入可能な孔を備えた、水平に支持された板材と、
前記板材に挿入された前記端末装置を、前記読取部が前記板材より上方に位置する常態で保持する保持部材と、を有することを特徴とするテレビ会議システム。
【請求項７】
請求項６記載のテレビ会議システムであって、
前記端末装置は、サーバとともにシンクライアントシステムを構成するシンクライアント端末であることを特徴とするテレビ会議システム。
【請求項８】
請求項６又は７記載のテレビ会議システムであって、
前記板材は、多角形形状を有し、
前記表示装置は、前記板材の各辺に沿った位置に設置されていることを特徴とするテレビ会議システム。
【請求項９】
請求項８に記載のテレビ会議システムであって、
前記収納台は、前記孔に挿入されて保持された前記端末装置の読取部上方を覆うように支持された保護部材を備え、前記保護部材は、前記板材の辺の中間部に立設された支柱により支持されていることを特徴とするテレビ会議システム。
【請求項１０】
請求項６から９のうち何れかに記載のテレビ会議システムであって、
前記収納台は、前記端末装置に接続されたキーボード及びマウスを収納するための収納部を備えることを特徴とするテレビ会議システム。
【考案の詳細な説明】
【技術分野】
【０００１】
本考案は、例えば、テレビ会議等に用いられる端末装置を収納可能な収納台及びこの収納台を備えたテレビ会議システムに関する。
【背景技術】
【０００２】
近年、多人数が参加する会議において、円陣を組むように参加者を配置し、円陣の中心に端末装置が収納された収納台を配置するとともに、参加者に正対するように液晶ディスプレー等の表示装置を複数配置し、端末装置からの出力を表示装置に表示する会議システムが用いられている。
【０００３】
また、近年、端末側には最低限の機能しか持たせず、アプリケーションソフトやファイルなどの資源をサーバで管理し、サーバと通信可能な端末から操作するシンクライアントシステムが多くの企業等に導入されている（例えば、非特許文献１参照）。シンクライアントシステムによれば、一の端末において、例えば、認証情報が記録された認証用カード等の記録媒体をカード読取用の差込口に挿入することでユーザ認証を行い、認証を行ったユーザの作業内容を閲覧することが可能となる。したがって、このようなシンクライアントシステムを上記の会議システムに適用することにより、一の端末において各参加者の作業内容を切り換えて閲覧しながら、会議を進めることが可能となる。
【非特許文献１】サン・マイクロシステムズ  ホームページ  −シンクライアント−［online］、サン・マイクロシステムズ、「平成２０年２月１５日検索」、インターネット＜http://jp.sun.com/products/desktop/sunray/＞
【考案の開示】
【考案が解決しようとする課題】
【０００４】
ここで、カード読取用の差込口は一般にシンクライアント端末の前面に設けられているため、収納台にシンクライアント端末を通常通りに配置すると、一部の参加者は収納台を回りこんで、記録媒体を差込口に挿入して、認証情報を読み取らせなければならない。
【０００５】
本考案は、上記の問題に鑑みなされたものであって、その目的は、記録媒体から当該記録媒体に記録された情報を読み取る読取部を備えた端末を収容する収容台において、あらゆる角度から容易に読取部に記録媒体を接続することができるようにすることである。
【課題を解決するための手段】
【０００６】
本考案の収納台は、認証用記録媒体から認証情報を読み取るための読取部を備えた端末装置を収納する収納台であって、前記端末装置を前記読取部が上向きの状態で挿入可能な孔を備えた、水平に支持された板材と、前記板材に挿入された前記端末装置を、前記読取部が前記板材より上方に位置する常態で保持する保持部材と、を備えることを特徴とする。
【０００７】
上記の収納台において、前記端末装置は、サーバとともにシンクライアントシステムを構成するシンクライアント端末であってもよい。また、前記孔に挿入されて保持された前記端末装置の読取部上方を覆うように支持された保護部材を備えてもよい。
【０００８】
また、前記板材は、多角形状に形成され、前記保護部材は、前記板材の辺の中間部に立設された支柱により支持されていてもよい。また、前記端末装置に接続されたキーボード及びマウスを収納するための収納部を備えてもよい。
【０００９】
また、本発明のテレビ会議システムは、認証用記録媒体から認証情報を読み取るための読取部を備えた端末装置を収納する収納台と、該収納台に収納された端末装置と、前記収納台の周囲に設置され、前記端末装置の画面表示を行う表示装置とを備えたテレビ会議システムであって、前記収納台は、前記端末装置を前記読取部が上向きの状態で挿入可能な孔を備えた、水平に支持された板材と、前記板材に挿入された前記端末装置を、前記読取部が前記板材より上方に位置する常態で保持する保持部材と、を有することを特徴とする。
【００１０】
上記のテレビ会議システムにおいて、前記端末装置は、サーバとともにシンクライアントシステムを構成するシンクライアント端末であってもよい。また、前記板材は、多角形形状を有し、前記表示装置は、前記板材の各辺に沿った位置に設置されていてもよい。
【００１１】
また、前記収納台は、前記孔に挿入されて保持された前記端末装置の読取部上方を覆うように支持された保護部材を備え、前記保護部材は、前記板材の辺の中間部に立設された支柱により支持されていてもよい。また、前記収納台は、前記端末装置に接続されたキーボード及びマウスを収納するための収納部を備えてもよい。
【００１２】
また、前記端末装置の後面には前記表示装置への出力端子が設けられており、前記最上段の板材は、その直下に位置する板材との間隔が、前記出力端子に接続されたケーブルを抜き差し可能なような距離となるように取り付けられていてもよい。
【００１３】
また、前記端末装置に接続されたキーボード及びマウスを収納するための収納部を備えてもよい。
【考案の効果】
【００１４】
本考案によれば、端末装置が、読取部が上部に向くように保持されるため、何れの参加者も回りこむことなく、読取部に記録媒体を容易に接続することができる。
【考案を実施するための最良の形態】
【００１５】
以下、図面を参照しながら本考案の収納台の一実施形態について説明する。
本実施形態の収納台は、多人数の参加者が円陣を組んでＴＶ会議を行う際に、参加者の中心に配置され、周囲に配置された表示装置に画像出力をするシンクライアント端末を収納するものである。図１は、シンクライアントシステム１００の構成を示す構成図である。同図に示すように、シンクライアントシステム１００は、サーバ１１０と、サーバ１１０とＬＡＮやインターネット、イントラネットなどのネットワーク１２０を介して接続されたシンクライアント端末１３０とから構成される。シンクライアントシステム１００は、複数ユーザのアプリケーション１１２やファイル１１４などの資源をサーバ１１０が管理し、シンクライアント端末１３０からサーバ１１０上で起動しているアプリケーション１１２の操作やファイル１１４の閲覧等を行うシステムである。
【００１６】
各シンクライアント端末１３０は、各ユーザの認証を行うための認証情報が記録されたカード状の記録媒体１５０から認証情報を読取り可能な読取部１３２を備える。読取部１３２は、記録媒体１５０を挿入するための差込口を備え、この差込口に挿入されたカード状の記録媒体１５０から認証情報を読み取る。
【００１７】
各シンクライアント端末１３０は、読取部１３２により記録媒体１５０から認証情報を読み取ると、読み取った認証情報をネットワーク１２０を介してサーバ１１０へ送信し、サーバ１１０は認証情報に基づきユーザ認証を行う。サーバ１１０によるユーザの認証が完了すると、シンクライアント端末１３０からサーバ１１０における当該ユーザの作業領域へのアクセスが可能となり、当該ユーザの作業内容（例えば、起動しているアプリケーションやファイル）を閲覧することが可能になるとともに、シンクライアント端末１３０からサーバ１１０上で起動しているアプリケーションを操作することが可能になる。
【００１８】
シンクライアント端末１３０は、サーバ１１０と通信可能に接続されており、また、入力装置としての複数のキーボード１４０及びマウス１４２（図中は、夫々一つのみ示す）と、表示装置としての複数のディスプレー装置１４４（図中は一つのみ示す）が接続されている。
【００１９】
図２〜図４は、本実施形態の収納台１０を示し、図２は正面図、図３は図２におけるＡ―Ａ矢視図、図４は図２におけるＢ―Ｂ矢視図である。また、図５は、シンクライアント端末１３０を収納台１０に取り付ける構造を示す斜視図である、また、図６〜図８は収納台１０に取り付けられた収納装置３０を示す図であり、図６は平面図、図７は図６におけるＡ―Ａ矢視図、図８は図６におけるＢ―Ｂ矢視図である。
【００２０】
図２〜図４に示すように、収納台１０は、上下方向に間隔を空けて設けられた４枚の平面視略正三角形状の棚板１２と、その頂点に沿って鉛直方向に延びるように設けられ、棚板１２を支持する柱材１１とにより構成される。なお、棚板１２は、４枚に限らず、３枚以下、又は５枚以上としてもよい。なお、最上段の棚板１２（一枚の場合は、その棚板１２）が本考案の「板材」に相当する。
【００２１】
支柱１１は、例えば、中空の鋼材からなる。各支柱１１には夫々、その途中部にコンセント１５が設けられており、このコンセント１５に電力を供給するためのコンセントケーブル１４がコンセント１５から支柱１１内部を通り、支柱１１の下部から外部に延びている。
【００２２】
各支柱の下端にはキャスター１３が取り付けられ、これらキャスター１３によって収納台１０は床面上を前後左右方向に移動可能、かつ旋回可能である。なお、収納台１０を移動させる必要がない場合にはキャスター１３は省略してもよい。
【００２３】
また、図５に示すように、最上段の棚板１２には一の頂点と、その対辺の中心を結ぶ方向に延びるように、シンクライアント端末１３０の読取部１３２を上方に向けた状態で挿入可能な矩形の孔２２が形成されている。この矩形の孔２２の両端には、鉛直下方に向かって延びるように断面コの字型の一対の保持部材２０がその開口する側が互いに向き合うように取り付けられている。また、保持部材２０の下端には、略水平方向に屈曲した屈曲部２０Ａが形成されている。
【００２４】
一対の保持部材２０は、水平方向に延びる拘束部材２１により連結されている。拘束部材２１の両端部は、ほぼ直角に屈曲されており、この屈曲部が各保持部材２０に螺子２１Ａによって固定されている。シンクライアント端末１３０は、読取部１３２を上方に向けた状態で、棚板１２の孔２２に挿通され、保持部材２０の屈曲部２０Ａにより、読取部１３２が棚板１２より上方に位置した状態で下端が支持されることにより保持されている。上述のように、一対の保持部材２０が拘束部材２１により連結されていることで、保持部材２０は互いに離間する方向に撓むことなく保持されるので、保持部材２０の間に収納されたシンクライアント端末１３０が脱落するのを防止できる。
【００２５】
なお、シンクライアント端末１３０を収納する際には、拘束部材２１を取り外しておき、一対の保持部材２０の下端を互いに離間する方向に撓ませて、屈曲部２０Ａ間をシンクライアント端末１３０が通過できるようにした状態で、読取部１３２を上方に向けたシンクライアント端末１３０を下方から保持部材２０の間を通して、最上段の棚板１２の孔２２に挿通させ、その下端が保持部材２０の屈曲部２０Ａにより支持されるようにその位置を調整する。次に、拘束部材２１の両端を保持部材２０に螺子２１Ａにより固定することにより、これら保持部材２０を拘束部材２１で連結する。これによりシンクライアント端末１３０は、読取部１３２が上方を向いた状態で保持される。
【００２６】
シンクライアント端末１３０は、サーバ１１０と通信するための通信ケーブル、表示装置へ画像出力する出力ケーブル、マウスやキーボードから延びる入力ケーブル、及び電源ケーブルを接続するための端子を裏面に備える。なお、最上段を除く棚板１２には、そのコーナー部に孔１２Ａが設けられており、シンクライアント端末１３０に接続された各種ケーブルを孔１２Ａに挿通させることができる。
【００２７】
上から２段目の棚板１２は、上記のようにシンクライアント装置１３０を取り付けた状態において、裏部の端子に上記のケーブル類を取り付けることができるように、保持部材２０の下端から、例えば、１０〜２０ｃｍ程度下方に取り付けられている。
【００２８】
また、収納台１０は、収納孔２２に収納されたシンクライアント端末１３０の読取部の上方位置を覆うように設けられた、保護板４１を備えている。保護板４１は、各辺の長さが棚板１２の略半分の正三角形状に形成されており、その各頂点において、最上段の棚板１２の各辺の中央付近に立設された柱材４０により支持されている。なお、保護板４１は、シンクライアント端末１３０が収納された状態で、保護板４１の下面とシンクライアント端末１３０の上部との間に手を入れて記憶媒体１５０を読取部１３２に挿入することができるように、最上段の棚板から、例えば、２０ｃｍ程度上方の高さ位置に支持されている。
【００２９】
このように保護板４１がシンクライアント端末１３０の読取部１３２の上方を覆うように設けられているため、読取部１３２にほこりが入り込んだり、上方から物を落下して、読取部１３２を傷つけてしまったりすることを防止できる。
なお、遠隔地とＴＶ会議を行う際に、会議の参加者をＴＶカメラにより撮影することがあるが、このような場合にはＴＶカメラをこの保護板４１の上面に設置することができる。
【００３０】
また、上から２段目の棚板１２には、各コーナー部にその棚板１２の中心を中心として放射状を呈するようにキーボード収納部３５及びマウス収納部３７を備えた収納装置３０が設けられている。
【００３１】
キーボード収納部３５は、丸パイプ又は丸棒の両端部を屈曲させて略Ｕ字形状に形成した一対の支持枠３４を互いに並行をなすように所定の間隔（キーボードの厚さよりも広い間隔）をおいて逆Ｕ字状に配置し、この一対の支持枠３４の両端を後述する平板３８の上部に溶接等により一体に連結することで、平板３８の上部に垂直に立設したものであって、この一対の支持枠３４間の隙間内にキーボードが縦置きに収納される。
【００３２】
平板３８は、矩形板状の取り付け部３３と、取り付け部３３よりも大きい矩形板状の載置部３１と、取り付け部３３と載置部３１とを一体に連結する帯板上の連結部３２とからなる平面視略Ｔ形状をなすものであって、この平板３８の上部中央部にキーボード収納部３５の一対の支持枠３４が垂直に立設されている。
【００３３】
マウス収納部３７は、支持枠３４の両側の載置部３１に設けられ、各マウス収納部３７はマウスが載置可能に構成されている。マウス収納部３７の上面には、合成ゴム等からなるシート状の滑り防止マット３６が接着剤等によって一体に設けられ、このすべり防止マット３６によりマウスがマウス収納部３７から脱落するのを防止している。
【００３４】
収納装置３０は、取付け部３３を収納台１０の２段目の棚板１２の各コーナー部の上部にねじ等により固定することで取り付けられている。この場合、収納装置３０は、キーボード収納部３５の一対の支持枠３４の全長の略半分が棚板１２の上部に配置され、残りの略半分が棚板１２の外側に配置されるように、取付け部３３の棚板１２への取付け位置が調整されている。このような位置に一対の支持枠３４を配置することで、一対の支持枠３４間の隙間に収納したキーボードは、略半分が棚板１２の上部に位置し、残りの略半分が棚板１２の外部に位置することになり、収納台１０の外側からキーボード収納部３５にキーボードを容易に出し入れすることが可能となる。
【００３５】
図９〜図１１は、収納台１０にシンクライアント端末１３０を収納して、ＴＶ会議を行う状態を示し、図９は正面図、図１０は図９におけるＡ―Ａ矢視図、図１１は図９におけるＢ―Ｂ矢視図である。
【００３６】
本実施形態の収納台１０にシンクライアント端末１３０を収納した状態でＴＶ会議を行うには、円座する会議参加者の中央にシンクライアント端末１３０を収納した収納台１０を配置し、収納台１０の各辺部に裏面が当接するように夫々表示装置１４４を配置する。なお、表示装置１４４としては、表示画面がスタンドに支持され、表示画面の高さ、角度を調整可能なものを用いるとよい。
【００３７】
そして、例えば、参加者の一人が作成したファイルを全員で閲覧するような場合には、シンクライアント端末１３０の読取部１３２にこの参加者の認証情報が記録された記録媒体１５０を挿入する。この際、収納台１０の各辺部に対応する位置に夫々表示装置１４４を配置しているため、表示装置１４４を避けるように棚板１２の頂点方向から手を延ばして、読取部１３２に記録媒体１５０を挿入することができる。また、シンクライアント端末１３０が上方に向けて保持されているため、何れの角度に位置する参加者も記録媒体１５０を容易に読取部１３２に挿入することができる。
【００３８】
また、保護板４１を支持する支柱４０が棚板１２の各辺の中間部近傍において支持しているため、このように棚板１２の頂点方向から手を延ばす際に、保護板４１を支持する支柱４０が記録媒体１５０を挿入する際の障害となることがない。
【００３９】
そして、参加者は、キーボード収納部３５に収納されたキーボード及びマウス収納部３５、３７に収納されたマウスを取り出し、これらを使用してサーバ１１０上で起動するアプリケーションを操作しながら、会議を進める。この際、サーバ１１０上で起動するアプリケーションは、各表示装置１４４に表示される。
【００４０】
また、例えば、異なる参加者が作成したファイルを閲覧する場合には、この参加者の持つ、記録媒体１５０を読取部１３２に挿入する必要があるが、上記のように何れの参加者も容易に記録媒体１５０を読取部１３２に挿入することができる。
【００４１】
以上説明したように、本実施形態の収納台１０によれば、シンクライアント端末１３０を読取部１３２が上方を向くように保持するため、例えば、何れの参加者も容易に、認証のための記録媒体１５０を読取部１３２に挿入することができる。
【００４２】
また、このように読取部１３２を上方に向けると、読取部１３２の内部にほこり等が侵入する虞があるが、シンクライアント端末１３０の読取部１３２の上方を覆うように保護板４１を設けたため、読取部１３２を保護することができる。
【００４３】
また、表示装置１４４を収納台の周囲に配置すると、読取部１３２に記録媒体１５０を挿入する際に、表示装置１４４を避けるようにして、棚板１２の頂点方向から手を延ばすこととなるが、保護板４１が棚板１２の各辺の中間部近傍において支柱４０により保持されているため、支柱４０が手を延ばす際の障害とならない。
【００４４】
なお、本実施形態では、収納台１０を構成する棚板１２が略正三角形状に形成された場合について説明したが、これに限らず、棚板１２の形状はいかなる形状であってもよい。なお、棚板１２が正多角形状である場合には、棚板１２の頂点とシンクライアント端末１３０の読取部１３２とを結ぶ直線から外れた位置において保護板４１を支柱４０により保持することで、記録媒体１５０を挿入する際に、支柱４０が障害となることを防止できる。
【００４５】
また、本実施形態では、カード状の記録媒体を読取部１３２の差込口に差し込むことにより認証を行うこととしたが、これに限らず、ＵＳＢメモリ等を接続して認証を行ってもよく、また、非接触式のＩＣカード等を用いて認証を行ってもよい。
【図面の簡単な説明】
【００４６】
【図１】シンクライアントシステムの構成を示す構成図である。
【図２】本実施形態の収納台の正面図である。
【図３】図２におけるＡ−Ａ矢視図である。
【図４】図２におけるＢ−Ｂ矢視図である。
【図５】シンクライアント端末を収納台に収納する構造を示す斜視図である。
【図６】収納台に取り付けられた収納装置を示す立面図である。
【図７】図６におけるＡ−Ａ矢視図である。
【図８】図６におけるＢ−Ｂ矢視図である。
【図９】収納台にシンクライアント端末を収納して、ＴＶ会議を行う状態を示す正面図である。
【図１０】図９におけるＡ−Ａ矢視図である。
【図１１】図９におけるＢ−Ｂ矢視図である。
【符号の説明】
【００４７】
１０  収納台
１１  柱材
１２  棚板
１３  キャスター
１４  コンセントケーブル
１５  コンセント
２０  保持部材
２０Ａ  屈曲部
２１  拘束部材
２２  孔
３０  収納装置
３１  載置板
３２  連結部
３３  取り付け部
３４  支持枠
３５  キーボード収納部
３６  滑り防止マット
３７  マウス収納部
１００  シンクライアントシステム
１１０  サーバ
１１２  アプリケーション
１１４  ファイル
１２０  ネットワーク
１３０  シンクライアント端末
１３２  読取部
１４０  キーボード
１４２  マウス
１４４  ディスプレー（表示装置）
１５０  記録媒体
【図１】
0003141712.tif 000003
【図２】
0003141712.tif 000004
【図３】
0003141712.tif 000005
【図４】
0003141712.tif 000006
【図５】
0003141712.tif 000007
【図６】
0003141712.tif 000008
【図７】
0003141712.tif 000009
【図８】
0003141712.tif 000010
【図９】
0003141712.tif 000011
【図１０】
0003141712.tif 000012
【図１１】
0003141712.tif 000013